(57)【要約】【課題】内部ネットワークと外部ネットワークＩＰアドレスのフラッシュ問題と使用上の問題を回避して、使用上の便利性を向上させること。【解決手段】本発明に係る携帯型ルーターは、メモリユニット、ネットワーク共有ポート、及び上述の素子と連接する演算処理ユニットからなる。メモリユニットは原設定ネットワークアドレスと原ダイナミックホスト設定プロトコルサーバアドレス範囲を内建している原パラメータ設定領域と更新パラメータ設定領域を有する。ネットワーク共有ポートは、外、内部ネットワーク連接ポートを有し、外部ネットワーク連接ポートは、外部ネットワークアドレスを有する外部ネットワークに連接され、内部ネットワーク連接ポートが内部ネットワークを形成する。使用時、演算処理ユニットは、原と外部ネットワークアドレスを比較し、両者が相同である時、外部ネットワークアドレスと異なる新ネットワークアドレスと新ＤＨＣＰサーバアドレス範囲を生成し、両者が異なる時、原設定ネットワークアドレスを使用する。【選択図】図１
2012070349.tif 000002
【特許請求の範囲】
【請求項１】
携帯型ルーターであって、
原パラメータ設定領域と更新パラメータ設定領域を有し、前記原パラメータ設定領域は、原設定ネットワークアドレスと原ダイナミックホスト設定プロトコル（ＤＨＣＰ）サーバアドレス範囲を設定したメモリユニットと、
外部ネットワーク連接ポートと内部ネットワーク連接ポートを有し、前記外部ネットワーク連接ポートが、外部ネットワークアドレスを有する外部ネットワークに連接され、前記内部ネットワーク連接ポートは、少なくとも一つのインターネットアクセス装置と連接して、内部ネットワークを形成するネットワーク共有ポートと、
前記メモリユニットと前記ローカルネットワーク共有ポートと電気的に接続して、前記原設定ネットワークアドレスをロードし、前記原設定ネットワークアドレスと前記外部ネットワークアドレスを比較し、両者が相同である時、前記外部ネットワークと異なる新ネットワークアドレスと新ＤＨＣＰサーバアドレス範囲を生成し、前記更新パラメータ設定領域に保存して、内部ネットワークに使用し、両者が異なる時、直接、前記原設定ネットワークアドレスを使用する演算処理ユニットと、
からなることを特徴とする携帯型ルーター。
【請求項２】
前記メモリユニットはフラッシュメモリであることを特徴とする請求項１に記載の携帯型ルーター。
【請求項３】
前記メモリユニットは、フラッシュメモリと同期型ＤＲＡＭ（ＳＤＲＡＭ）を有し、前記原パラメータ設定領域は、前記フラッシュメモリ内に設置され、前記更新パラメータ設定領域は、前記同期型ＤＲＡＭ３４のバッファ領域内に設置されることを特徴とする請求項１に記載の携帯型ルーター。
【請求項４】
更に、ワイヤレスネットワーク通信モジュールを含み、前記演算処理ユニットが伝送してくるパケットデータを無線信号に転換することを特徴とする請求項１に記載の携帯型ルーター。
【発明の詳細な説明】
【技術分野】
【０００１】
本発明は、携帯型ルーターに関するものであって、特に、ネットワークアドレス範囲を自動調節できる携帯型ルーターに関するものである。
【背景技術】
【０００２】
移動オフィスの状況の増加が頻繁になり、多くの出張者は、ホテル内でホテルのネットワークシステムにより仕事を処理している。このとき、自身が携帯するノート型パソコン（ＮＢ）、電子ブック（Ｅ−ｂｏｏｋ）、ＰＤＡと携帯電話（Ｍｏｂｉｌｅ  ｐｈｏｎｅ）等のインターネットアクセスが必要な装置は、どれも、コンピュータＩＰアドレスを用いてネットワークに接続しているが、現在、ホテル内の部屋には、一個のネットワークジョイント、及び、一個のコンピュータＩＰアドレスしか提供されていない。そのため、宿泊しているビジネスマンにとって、これは十分ではなく、よって、携帯型ルーターにより、数個のバーチャルコンピュータＩＰアドレスを提供して、異なる装置に使用している。
【０００３】
各メーカー、或いは、同一メーカーが販売する携帯型ルーターは、出荷時に与えられるコンピュータＩＰアドレスで、ＩＰアドレス相同の問題が生じやすく、例えば、携帯型ルーターが与えられるコンピュータＩＰアドレス（ローカルネットワークアドレス）とホテルの携帯型ルーターネットワークアドレスが同じで、この時、コンピュータＩＰアドレスをホテルの部屋内の使用者にきちんと分配することができるが、フラッシュするアドレスは、インターネットにアクセスできない。公知の携帯型ルーター中、コンピュータＩＰアドレスがフラッシュする時、いかなるエラーも提示されず、これは、一般のユーザーにとって、使用上、大変不便である。
よって、ネットワークアドレスを自動切り換えできる携帯型ルーターを提供して上述の問題を克服する必要がある。
【発明の概要】
【発明が解決しようとする課題】
【０００４】
本発明は、携帯型ルーターを提供し、ＩＰアドレスの分配可能範囲を自動化調整して、外部ネットワークサーバが使用するＩＰアドレス範囲を排除し、内部ネットワークと外部ネットワークＩＰアドレスのフラッシュ問題と使用上の問題を回避して、使用上の便利性を向上させることを目的とする。
【課題を解決するための手段】
【０００５】
上述の目的を達成するため、本発明は、携帯型ルーターを提供し、主に、メモリユニット、ネットワーク共有ポート、及び、メモリユニットとネットワーク共有ポートと連接する演算処理ユニットからなる。
【０００６】
上述のメモリユニットは、原パラメータ設定領域と更新パラメータ設定領域を有し、原パラメータ設定領域は、原設定ネットワークアドレスと原ダイナミックホスト設定プロトコル（ＤＨＣＰ）サーバアドレス範囲を設定する。
【０００７】
上述のネットワーク共有ポートは、外部ネットワーク連接ポートと内部ネットワーク連接ポートを有し、外部ネットワーク連接ポートが、外部ネットワークアドレスを有する外部ネットワークに連接され、内部ネットワーク連接ポートは、少なくとも一つのインターネットアクセス装置と連接して、内部ネットワークを形成する。
【０００８】
使用時、上述の演算処理ユニットは、原設定ネットワークアドレスをロードし、原設定ネットワークアドレスと外部ネットワークアドレスを比較し、両者が相同である時、演算処理ユニットは、外部ネットワークと異なる新ネットワークアドレスと新ＤＨＣＰサーバアドレス範囲を生成し、更新パラメータ設定領域に保存して、内部ネットワークに使用し、反対に、両者が異なる時、直接、原設定ネットワークアドレスを使用して、内部ネットワークアドレス設定を実行する。
【発明の効果】
【０００９】
本発明ではＩＰアドレスを、携帯型ルーターに連接されるインターネットアクセス装置に自動的に分配することができるだけでなく、分配可能範囲を自動化調整して、外部ネットワークサーバが使用するＩＰアドレス範囲を排除して、ＩＰアドレスフラッシュ問題と使用上の不便を解決し、使用上の便利性を向上することができる。
【図面の簡単な説明】
【００１０】
【図１】本発明の携帯型ルーターを示す図である。
【図２】本発明の携帯型ルーターのもう一つの実施例を示す図である。
【図３】本発明の図１の携帯型ルーターの操作プロセスを示す図である。
【図４】本発明の図２の携帯型ルーターの操作プロセスを示す図である。
【発明を実施するための形態】
【００１１】
図１は、本発明の携帯型ルーターを示す図である。図のように、本発明の携帯型ルーター１０は、主に、メモリユニット１２、一ネットワーク共有ポート１４、及び、メモリユニット１２とネットワーク共有ポート１４に連接される演算処理ユニット１６からなる。
【００１２】
上述のメモリユニット１２は、原パラメータ設定領域１８と更新パラメータ設定領域２０を有し、原パラメータ設定領域１８は、原設定ネットワークアドレスと原ダイナミックホスト設定プロトコル（ＤＨＣＰ）サーバアドレス範囲を内建している。
【００１３】
上述のネットワーク共有ポート１４は、外部ネットワーク連接ポート２２と内部ネットワーク連接ポート２４を有し、外部ネットワーク連接ポート２２は、外部ネットワークアドレスを有する外部ネットワーク２６に連接され、内部ネットワーク連接ポート２４が、少なくとも一つのインターネットアクセス装置２８に連接されて、内部ネットワーク３０を形成する。
【００１４】
本発明の携帯型ルーター１０を使用して、内部ネットワークアドレスを設定する時、上述の演算処理ユニット１６は、原設定ネットワークアドレスをロードし、原設定ネットワークアドレスと外部ネットワークアドレスを比較し、両者が相同である時、演算処理ユニット１６は、外部ネットワークと異なる新ネットワークアドレスと新ＤＨＣＰサーバアドレス範囲を生成して、更新パラメータ設定領域２０に保存して、内部ネットワーク３０に使用し、反対に、両者が異なる時、直接、原設定ネットワークアドレスを使用して、内部ネットワークアドレス設定を実行する。
【００１５】
この他、上述のメモリユニット１２は、フラッシュメモリから選択できる。
本発明の携帯型ルーター１０は、更に、ワイヤレスネットワーク通信モジュール３２を含み、インターネットアクセス装置２８が伝送してきた無線信号を受信して、演算処理ユニット１６に送るか、或いは、演算処理ユニット１６が伝送してきたパケットデータを無線信号に転換し、内部ネットワーク３０に使用する。
【００１６】
図２は、本発明の携帯型ルーターのもう一つの実施例を示す図である。この実施例中、メモリユニット１２は、フラッシュメモリ３２と同期型ＤＲＡＭ（ＳＤＲＡＭ）３４を有し、原パラメータ設定領域３６は、フラッシュメモリ３２内に設置され、更新パラメータ設定領域３８は、同期型ＤＲＡＭ３４のバッファ領域内に設置される。
【００１７】
図１と図３を参照すると、図３は、本発明の携帯型ルーターの操作プロセスを示す図である。
図のように、まず、ステップＳ１で、本発明の携帯型ルーター１０を起動する。その後、ステップＳ２で示されるように、演算処理ユニット１６が、外部ネットワークアドレスを自動的に捕捉する。ステップＳ３で示されるように、演算処理ユニット１６は、捕捉した外部ネットワークアドレスと原設定ネットワークアドレスを比較し、両者が相同のサブネット（ｓｕｂｎｅｔ）である場合、ステップＳ４で示されるように、演算処理ユニット１６は、一個の新ネットワークアドレスと新ＤＨＣＰサーバアドレス範囲を生成する。どちらも、原設定ネットワークアドレスと原ＤＨＣＰサーバアドレス範囲は異なるる。続いて、ステップＳ５で示されるように、新ネットワークアドレスと新ＤＨＣＰサーバアドレス範囲を、更新パラメータ設定領域２０に保存する。続いて、ステップＳ６で示されるように、不断電状態下で、携帯型ルーター１０を再起動し、新ネットワークアドレスを捕捉して、本発明の携帯型ルーター１０の内部ネットワークＩＰとして設定すると共に、新ＤＨＣＰサーバアドレス範囲を捕捉して、ＩＰアドレスを内部ネットワーク３０に提供する。つまり、携帯型ルーター１０と連接するインターネットアクセス装置２８に、ＩＰアドレスを分配する。
【００１８】
ステップＳ３で、両者が相同のサブネットにないと判断される時、ステップＳ７で示されるように、原設定ネットワークアドレスと原ＤＨＣＰサーバアドレス範囲を、内部ネットワーク３０に提供する。
【００１９】
図２と図４を参照して説明する。図４は、本発明の携帯型ルーターのもう一つの操作プロセス図である。図のように、まず、ステップＳ１１で、本発明の携帯型ルーター１０を起動する。その後、ステップＳ１２で示されるように、演算処理ユニット１６が、外部ネットワークアドレスを自動的に捕捉する。ステップＳ１３で示されるように、演算処理ユニット１６は、捕捉した外部ネットワークアドレスと原設定ネットワークアドレスを比較、及び、判断し、両者が相同のサブネットである場合、ステップＳ１４で示されるように、演算処理ユニット１６は、一個の新ネットワークアドレスと新ＤＨＣＰサーバアドレス範囲を生成する。どちらも、原設定ネットワークアドレスと原ＤＨＣＰサーバアドレス範囲と異なる。続いて、ステップＳ１５で示されるように、更新パラメータ設定領域３８に、この新ネットワークアドレスと新ＤＨＣＰサーバアドレス範囲を保存する。ステップＳ１６で示されるように、この新ネットワークアドレスと新ＤＨＣＰサーバアドレス範囲を捕捉して、携帯型ルーター１０の新パラメータとし、内部ネットワーク３０に使用する。
【００２０】
ステップＳ１３で、両者が相同のサブネットにないと判断された時は、ステップＳ１７で示されるように、原設定ネットワークアドレスと原ＤＨＣＰを、内部ネットワーク３０に使用する。
【００２１】
上述のように、本発明は、新規の携帯型ルーターを提供し、ＩＰアドレスを、携帯型ルーターに連接されるインターネットアクセス装置に自動的に分配することができるだけでなく、分配可能範囲を自動化調整して、外部ネットワークサーバが使用するＩＰアドレス範囲を排除して、ＩＰアドレスフラッシュ問題と使用上の不便を解決し、使用上の便利性を向上する。
【００２２】
本発明では好ましい実施例を前述の通り開示したが、これらは決して本発明に限定するものではなく、当該技術を熟知する者なら誰でも、本発明の精神と領域を脱しない範囲内で各種の変更や置換することができる。
【符号の説明】
【００２３】
１０・・・・・携帯型ルーター
１２・・・・・メモリユニット
１４・・・・・ネットワーク共有ポート
１６・・・・・演算処理ユニット
１８・・・・・原パラメータ設定領域
２０・・・・・更新パラメータ設定領域
２２・・・・・外部ネットワーク連接ポート
２４・・・・・内部ネットワーク連接ポート
２６・・・・・外部ネットワーク
２８・・・・・インターネットアクセス装置
３０・・・・・内部ネットワーク
３２・・・・・フラッシュメモリ
３４・・・・・同期型ＤＲＡＭ（ＳＤＲＡＭ）
３６・・・・・原パラメータ設定領域
３８・・・・・更新パラメータ設定領域
【図１】
2012070349.tif 000003
【図２】
2012070349.tif 000004
【図３】
2012070349.tif 000005
【図４】
2012070349.tif 000006